(57)【特許請求の範囲】
【請求項１】
塗装溶剤が流入される容器本体と、
該容器本体に連設され、溶剤搬路部を備えたローラー支持部と、
該ローラー支持部に回転自在に保持された塗装溶剤吸収可能なローラーと、
前記容器本体からの溶剤を前記ローラー支持部の搬路部から前記ローラーに適宜調整しながら供給する調整機構付溶剤供給部と、
を備え、
前記調整機構付溶剤供給部は、前記搬路部の管の周方向の一部の領域のみに複数の溶剤供給孔が列状に形成されていることを特徴とする塗装器。
【請求項２】
塗装溶剤が流入される容器本体と、
該容器本体に連設され、溶剤搬路部を備えたローラー支持部と、
該ローラー支持部に回転自在に保持された塗装溶剤吸収可能なローラーと、
前記容器本体からの溶剤を前記ローラー支持部の搬路部から前記ローラーに適宜調整しながら供給する調整機構付溶剤供給部と、
を備え、
前記ローラーは、複数のローラーユニットを積層して構成されていることを特徴とする塗装器。
【請求項３】
塗装溶剤が流入される容器本体と、
該容器本体に連設され、溶剤搬路部を備えたローラー支持部と、
該ローラー支持部に回転自在に保持された塗装溶剤吸収可能なローラーと、
前記容器本体からの溶剤を前記ローラー支持部の搬路部から前記ローラーに適宜調整しながら供給する調整機構付溶剤供給部と、
を備え、
前記調整機構付溶剤供給部は、前記ローラー支持部に開口した溶剤供給孔と、該溶剤供給孔に少なくとも一部が干渉する溶剤伝達孔を有し、該溶剤供給孔を包含するローラー軸心を兼ねた回転部とで構成され、
前記回転部に、前記溶剤伝達孔に掛かるように前記ローラーを保持したことを特徴とする塗装器。
【発明の詳細な説明】
【０００１】
【発明の属する技術分野】
本発明は、例えば木製加工部品の仕上げ塗装などを行うのに適した塗装器に関する。
【０００２】
【従来の技術】
従来、木製加工部品の仕上げ塗装を行う場合、刷毛やローラーを使用して塗装が行われている。しかし、刷毛塗りでは別途容器内の塗装溶剤に刷毛を浸して、刷毛を塗装面まで運ぶ必要があり、作業性が悪いという問題がある。また、周囲を汚しやすく、ふき取り作業が必ず伴うという問題がある。また、塗り面積や塗装面の状態に応じて刷毛に着ける塗装溶剤の量もまちまちになり、また塗りムラも生じやすい。このため、刷毛塗りには熟練を要し、この点でも作業性が悪いという問題がある。また、ローラーを使用する場合も別途容器内の塗装溶剤にローラーを浸してから塗装面まで運ぶ必要があり、刷毛塗りと同様な問題がある。
【０００３】
また、木製加工部品の木口のように幅の狭い面を塗装する場合、ペン先が板状のフェルトになったフェルトペンなどが用いられるが、特にパーティクルボードの木口面のように表面状態が荒い面に対して、フェルトの損耗が激しく、耐久性に問題がある。また、特に木口面のように塗料溶剤の吸収性が高い面では途中で塗料溶剤がかすれて連続塗装作業ができず、作業性が悪いという問題がある。
【０００４】
【発明が解決しようとする課題】
本発明は、塗装作業において、塗りムラがなく連続作業ができ、作業効率の向上を図れる塗装器を提供することを課題とする。
【０００５】
【課題を解決するための手段】
本発明の請求項１の塗装器は、
塗装溶剤が流入される容器本体と、該容器本体に連設され、溶剤搬路部を備えたローラー支持部と、該ローラー支持部に回転自在に保持された塗装溶剤吸収可能なローラーと、前記容器本体からの溶剤を前記ローラー支持部の搬路部から前記ローラーに適宜調整しながら供給する調整機構付溶剤供給部と、を備え、前記調整機構付溶剤供給部は、前記搬路部の管の周方向の一部の領域のみに複数の溶剤供給孔が列状に形成されていることを特徴とする。
また、請求項２の塗装器は、塗装溶剤が流入される容器本体と、該容器本体に連設され、溶剤搬路部を備えたローラー支持部と、該ローラー支持部に回転自在に保持された塗装溶剤吸収可能なローラーと、前記容器本体からの溶剤を前記ローラー支持部の搬路部から前記ローラーに適宜調整しながら供給する調整機構付溶剤供給部と、を備え、前記ローラーは、複数のローラーユニットを積層して構成されていることを特徴とする。
【０００６】
上記のように構成された請求項１または２の塗装器において、容器本体内の塗装溶剤はローラー支持部の溶剤搬路部からローラーに供給される。このとき、調整機構付溶剤供給部により塗装溶剤は適宜調整されてローラーに供給される。したがって、ローラーを被塗装部に当てて転がすだけで簡単に塗装を行なうことができ、さらに、ローラーを別途容器の塗装溶剤に浸す必要もなく連続作業ができ、作業性が向上する。また、ローラーに供給される塗装溶剤は適宜調整されるので、塗りムラなく塗装できる。
【０００７】
本発明の請求項３の塗装器は、塗装溶剤が流入される容器本体と、該容器本体に連設され、溶剤搬路部を備えたローラー支持部と、該ローラー支持部に回転自在に保持された塗装溶剤吸収可能なローラーと、前記容器本体からの溶剤を前記ローラー支持部の搬路部から前記ローラーに適宜調整しながら供給する調整機構付溶剤供給部と、を備え、前記調整機構付溶剤供給部は、前記ローラー支持部に開口した溶剤供給孔と、該溶剤供給孔に少なくとも一部が干渉する溶剤伝達孔を有し、該溶剤供給孔を包含するローラー軸心を兼ねた回転部とで構成され、前記回転部に、前記溶剤伝達孔に掛かるように前記ローラーを保持したことを特徴とする。
【０００８】
上記のように構成された請求項３の塗装器の調整機構付溶剤供給部において、ローラー支持部の溶剤供給孔と回転部の溶剤伝達孔とは一部干渉し、溶剤供給孔から供給される塗装溶剤が溶剤伝達孔を介してローラーに達する。塗装時にローラーの回転に伴って回転部が回転すると、溶剤伝達孔と溶剤供給孔との一部干渉が間欠的に繰り返されて塗装溶剤のローラーへの伝達が平均的に均一になるように調整される。したがって、請求項２の塗装器によれば、請求項１と同様な作用効果が得られるとともに、ローラーの回転速度に応じて塗装溶剤が供給されるので、さらに塗装ムラ無く均一に塗装することができる。
【０００９】
なお、ローラーが被塗装部との摩擦によって回転される時に、回転部は少しでも回転すればよく、ローラーと回転部は完全な固定関係にある必要はなく、半固定関係でもよい。また、ローラー支持部は、支持部本体と回転部の軸体とからなるものと、回転部の軸体のみのものとがある。
【００１０】
また、ローラー支持部の溶剤搬路部は、支持部本体をパイプ状にした内管部で構成してもよいし、支持部本体の外側にバイパスさせる構成としてもよい。
【００１１】
溶剤供給孔と溶剤伝達孔とがローラーの軸方向に複数配設されたものにあっては、軸方向に均等塗装が可能である。
【００１２】
溶剤供給孔と溶剤伝達孔とがローラーの回転方向に複数配設されたものにあっては、回転方向に均等塗装が可能である。
【００１３】
ローラー支持部の溶剤搬路部を支持部本体をパイプ状にした内管部で構成して、ローラー支持部に内管に貫通する流量調節ネジを設け、ネジ端が内管部の流路に食い込むように構成すると、塗布量を簡単に調節できる。
【００１４】
例えば、回転部の端部にフランジ等を設けるとともに、その反対側で、この回転部に保持したローラーの端部を円盤とネジ等で押さえるようにし、この円盤とフランジの間隔を調節できるようにすると、ローラーとして例えば輪切り状の複数のローラーを配設可能となり、この枚数によりローラーによる塗装幅を調節でき、例えば、大幅の被塗装面でも一度に塗装が可能となる。
【００１５】
また、ローラーは塗装溶剤吸収可能であり、このローラーの軸方向に圧縮あるいは弛緩調節可能にすると、塗布量の調節が可能である。
【００１６】
【発明の実施の形態】
以下、図面を参照して本発明の一実施の形態について説明する。図１は第１実施形態の塗装器の正面図であり、この塗装器は、塗装溶剤が流入される容器本体１と、容器本体１に連設されたパイプで構成されたローラー支持部２と、ローラー支持部２に回転自在に保持された回転部３、および回転部３の周囲に保持された塗装溶剤吸収可能なフェルトでできたローラー４とを主な部品として構成されている。
【００１７】
なお、ローラー支持部２のローラー４の配設側と反対側にはバランサー（重り）９が配設されており、容器本体１を縦にして該塗装器を立てても、倒れないようになっている。
【００１８】
図２はローラー支持部２、回転部４およびローラー３の分解図、図３は図２のＡ−Ａ断面図およびＢ−Ｂ断面図である。なお図２ではローラー支持部２を断面図で示してある。ローラー支持部２は、容器本体１に連結された第１管部２１と回転部３を軸支する第２管部２２とを連結して構成され、この第１管部２１と第２管部２２の内部の管路は共に溶剤搬路部２ａとされている。第１管部２１の端部の管内面にはネジが切られており、管状のネジ５が容器本体１の蓋１ａの裏側からその開口を通して第１管部２１の先端にネジ止めされていいる。また、第２管部２２の一部には複数の溶剤供給孔２ｂが形成されている。これにより、容器本体１の内部は、溶剤搬路部２ａおよび溶剤供給孔２ｂを介して回転部３の内側に連通している。
【００１９】
回転部３は筒状のローラー軸心部３１と、このローラ軸心部３１の一端に外周方向に延設されたフランジ部３２とで構成されており、ローラー軸心部３１には複数の溶剤伝達孔３ａが形成されている。そして、ローラー軸心部３１には第２管部２２が挿入され、ローラ軸心部３１にローラー４が填め込まれる。なお、ローラー４はドーナツ盤状のフェルトで形成された複数のローラーユニット４１を積層したものであり、ローラー軸心部３１の長さはローラーユニット４１の厚みと枚数に応じて適宜設定されている。
【００２０】
ローラー軸心部３１に填め込まれたローラー４に対して、回転部３のフランジ部３２と反対側において、ローラー押え部材８がローラー４の端部に当てられる。第２管部２２の端部の管内面にはネジが切られており、ローラー押え部材８はネジ７により第２管部２２の端部にネジ止めされている。なお、ネジ７でネジ止めしたとき、ローラー４の端部はフランジ部３２に適度に圧接されるとともに他端はローラー押え部材８に圧接され、この状態でローラー押え部材８は回転部３には接触しないようになっている。
【００２１】
以上の構成により、ローラー軸心部３１は、第２管部２２の溶剤供給孔２ｂを包含するように配設されるとともに、ローラー４は、ローラー軸心部３１の溶剤伝達孔３ａに掛かるように保持され、回転部３およびローラー４が第２管部２２（ローラー支持部２）に回転自在に保持される。
【００２２】
ここで、第２管部２２の溶剤供給孔２ｂは、管の軸方向に一列複数個（図２は６個）として、これが管の周方向の一部の９０度の範囲に複数列（図３(A) では３列）形成されている。また、ローラー軸心部３１の溶剤伝達孔３ａは、軸方向に一列複数個（図２では６個）として、これが管の周方向の所定間隔（図３(B) では４５度間隔で）複数列（図３(B) では８列）形成されている。これにより、溶剤伝達孔３ａの少なくとも一部は溶剤供給孔２ｂに干渉するようになる。
【００２３】
以上の構成により、容器本体１内に塗装溶剤を流入して蓋１ａで蓋をし、ローラー４側を下にして傾けると、容器本体１内の塗装溶剤が、溶剤搬路部２ａ、溶剤供給孔２ｂ、溶剤伝達孔３ａを介してローラー４に供給され、ローラー４の毛細管現象によりローラー４の表面まで塗装溶剤が達する。そして、図４に示したように、ローラー４の外周を被塗装部（例えば木口面）に当てて転がすと、ローラー４から塗装溶剤がしみ出して被塗装部に塗装がなされる。
【００２４】
このとき、ローラー４の回転に伴って回転部３も回転し、第２管部２２の溶剤供給孔２ｂに溜まっている塗装溶剤はその溶剤供給孔２ｂとすれ違う（干渉する）溶剤伝達孔３ａに次々と供給され、この溶剤伝達孔３ａの塗装溶剤がローラー４の毛細管現象によりローラー４側に吸収される。この作用はローラー４を一定の速度で回転させることにより、定常な状態で連続する。
【００２５】
ここで、ローラー４を速く回すということは一定時間に多くの面積を塗装することであり、遅く回すということは一定時間に少しの面積を塗装することであるが、上記の作用により、回転が速くなるとその分ローラー４に供給される塗装溶剤の量の多くなり、回転が遅くなるとその分ローラー４に供給される塗装溶剤の量も少なくなる。したがって、回転速度が変わっても回転速度に応じて塗装溶剤が供給されるので、塗装ムラ無く均一に塗装することができる。
【００２６】
このように、この実施形態では、溶剤供給孔２ｂと溶剤伝達孔３ａを有する回転部３とにより調整機構付溶剤供給部が構成され、塗装溶剤をローラー４に適宜調整しながら供給する。
【００２７】
なお、容器本体１はビニール等の弾性材でできており、ローラー４を上にして塗装を行なうときは、容器本体１を適宜圧迫して塗装溶剤を供給すればよい。このような使い方は、ローラー４を下にして使用する場合でも可能であり、この場合は、塗装溶剤の供給量を臨時に調整する調整機構として作用する。
【００２８】
図５は第２実施形態の塗装器の一部分解図であり、この第２実施形態において、本体容器１、ローラー支持部２およびローラー４は第１実施形態と同様な構造である。
【００２９】
ローラー支持部２の第１管部２１には、第２管部２２が延設される方向と反対側にナット９１が取付られるとともに、このナット９１に螺合するネジ９２が貫通するように第１管部２１の内側まで貫通する孔２１ａが形成されている。そして、ネジ９２がナット９１に螺合されてその先端部９２ａが第１管部２１の内部の管路すなわち溶剤搬路部２ａ内に位置している。なお、ネジ９２のネジ部の径は溶剤搬路部２ａの内径と略同じである。これにより、ネジ９２を出し入れすることで溶剤搬路部２ａの通路断面積が変化し、容器本体１から第２管部２２側に供給される塗装溶剤の供給量を調整することができる。このように、このネジ９２およびナット９１は調整機構を構成している。なお、ネジ９２はバランサーをも構成している。
【００３０】
この第２実施形態の塗装器においては、２つの回転部ユニット６Ａ，６Ｂにより回転部６が構成されている。各回転部ユニット６Ａ，６Ｂは、第１実施形態の回転部３と略同様な構造になっており、筒状のローラー軸心部６１Ａ，６１Ｂと端部のフランジ部６２Ａ，６２Ｂをそれぞれ備えている。また、各ローラー軸心部６１Ａ，６１Ｂには複数の溶剤伝達孔６３Ａ，６３Ｂが形成されている。回転部ユニット６Ａのローラー軸心部６１Ａは、回転部ユニット６Ｂのローラー軸心部６１Ｂの内側に整合して挿入できるようになっており、各ローラーユニット４１をローラー軸心部６１Ｂに積層した填め込み、このローラー軸心部６１Ｂの内側にローラー軸心部６１Ａを挿入し、回転部ユニット６Ａと回転部ユニット６Ｂとでローラー４を保持する。
【００３１】
そして、回転部ユニット６Ａ，６Ｂで構成された回転部６とローラー４が第２管部２２に取付られるとき、第２管部２２に座金１１、フェルト押え板１２および幅調整フェルト１３を填め込んだ後、回転部６を填め込む。そして、回転部６の回転部ユニット６Ｂ側に幅調整フェルト１４を填め込み、幅調整フェルト１４にフェルト押え板１５および座金１６を宛い、蝶ネジ１７で第２管部２２の端部にネジ止めする。蝶ネジ１７が第２管部２２にネジ止めされたとき、座金１６と第２管部２２の先端との間にある程度の隙間が形成されるようになっている。したがって、蝶ネジ１７を締め込むと幅調整フェルト１３，１４の軸方向の幅（厚み）が縮まり、蝶ネジ１７を緩めると幅調整フェルト１３，１４の軸方向の幅が広がる。
【００３２】
このように、蝶ネジ１７の締め具合を調整することで、ローラー４の幅を調整することができるとともに、幅調整フェルト１３，１４およびローラー４の密度が変わり塗装溶剤吸収力も変化するので、塗料溶剤の供給量の微調整が可能となる。
【００３３】
なお、第２実施形態の回転部６は２つの回転部ユニット６Ａ，６Ｂを重ねたものであるが、この回転部ユニット６Ａ，６Ｂは、両ローラー軸心部６１Ａ，６１Ｂの溶剤伝達孔６３Ａ，６３Ｂの位置を合わせて重ねられる。これにより、この第２実施形態においても、溶剤伝達孔６３Ａ，６３Ｂは第２管部２２の溶剤供給孔２ｂと共に、第１実施形態と同様な作用をし、ローラー４を回転させる塗装作業中に調整機構付溶剤供給部として機能する。
【００３４】
なお、蝶ネジ１７のネジ部の長さを長くしておき、回転部ユニット６Ａと回転部ユニット６Ｂを完全に填め込まないで、その間に保持するローラーユニット４１の数を増やし、幅の広いローラーとすることもできる。
【００３５】
以上の第１実施形態および第２実施形態では、ローラー保持部２が第１管部２１および第２管部２２によりＬ字型に形成していたが、図６(A) の第３実施形態の塗装器のように、ローラー保持部２′を直線状にしてもよい。なお、容器本体１、回転部３、ローラー４および調整機能付溶剤供給部の構成については第１実施形態あるいは第２実施形態と同様である。
【００３６】
この第３実施形態によれは、例えば図６(B) に示したスピーカボックスの開口部の木口面１０のように、木口面が垂直に近い状態になっていたり、木口面１０、１０が狭い間隔で対面しているような場合に使い勝手がよくなる。
【００３７】
以上の実施形態では第１管部２１、ネジ５および蓋１ａが別体で構成されているがこれらを樹脂で一体に形成してもよい。この場合、製品のコストを低減することができる。
【００３８】
また、以上の実施形態では、ローラー支持部２、２′をパイプで構成して、内管部分を溶剤搬路部としているが、この溶剤搬路部としては、容器本体から回転部の内側に塗装溶剤を供給できる構成であればよく、例えばローラー支持部の外部にバイパスさせたパイプ等でもよい。
【００３９】
また、溶剤供給孔２ｂおよび溶剤伝達孔３ａ、６３Ａ，６３Ｂの数や位置は実施形態のものに限定されるものではなく、適宜選定することができる。
【００４０】
また、容器本体としては、ペットボトルをリサイクル使用したものでもよい。
【００４１】
【発明の効果】
本発明の請求項１または２の塗装器によれば、ローラーを被塗装部に当てて転がすだけで簡単に塗装を行なうことができ、さらに、ローラーを別途容器の塗装溶剤に浸す必要もなく連続作業ができ、作業性が向上する。また、ローラーに供給される塗装溶剤は適宜調整されるので、塗りムラなく塗装できる。
【００４２】
本発明の請求項３の塗装器によれば、請求項１または２と同様な効果が得られるとともに、ローラーの回転速度に応じて塗装溶剤が供給されるので、さらに塗装ムラ無く均一に塗装することができる。
【図面の簡単な説明】
【図１】第１実施形態の塗装器の正面図である。
【図２】第１実施形態におけるローラー支持部、回転部およびローラーの分解図である。
【図３】図２のＡ−Ａ断面図およびＢ−Ｂ断面図である。
【図４】実施形態の塗装機の使用状態を示す図である。
【図５】第２実施形態の塗装器の一部分解図である。
【図６】第３実施形態の塗装器の正面図および使用例を示す図である。
【符号の説明】
１…容器本体、２、２′…ローラー支持部、３，６…回転部、４…ローラー、２ａ…溶剤搬路部、２ｂ…溶剤供給孔、３１，６１Ａ，６１Ｂ…ローラ軸心部、３ａ，６３Ａ，６３Ｂ…溶剤伝達孔
【図１】
0003664020.tif 000002
【図２】
0003664020.tif 000003
【図３】
0003664020.tif 000004
【図４】
0003664020.tif 000005
【図５】
0003664020.tif 000006
【図６】
0003664020.tif 000007